(57)【要約】【課題】リテーナの検知脚部の小型化を図りつつ、パイプ体の挿入を確実に検知できるクイックコネクタを提供する。【解決手段】検知脚部（３３）は、検知脚部（３３）の先端側において径方向内方に突出して設けられ、初期位置において環状突部（３ａ）に当接可能な検知部（３３ａ）と、検知脚部（３３）において検知部（３３ａ）より基部（３１）側に設けられ、初期位置において、検知脚部（３３）が軸方向奥側に撓み変形していない状態にてコネクタ本体（２０）に対して押し込み方向に係止され、検知脚部（３３）が軸方向奥側に撓み変形している状態にてコネクタ本体（２０）に対して押し込み方向に非係止状態とする押し込み規制部（３３ｂ）とを備える。【選択図】図５Ｃ
2015086964.tif 000002
【特許請求の範囲】
【請求項１】
環状突部を有するパイプ体を挿入可能なコネクタ本体と、
前記コネクタ本体の軸方向に交差する方向への押し込み操作により、前記コネクタ本体に対して初期位置から確認位置へ移動可能に設けられ、前記確認位置にて前記環状突部に対して軸方向に係止可能なリテーナと、
を備えるクイックコネクタであって、
前記リテーナは、
基部と、
前記基部の両端に設けられ、前記初期位置にて前記環状突部の通過を許容し、前記確認位置にて前記環状突部に対して軸方向に係止可能な一対の係止脚部と、
前記基部の両端において前記一対の係止脚部より軸方向奥側に設けられ、前記初期位置において前記環状突部との当接によって軸方向奥側に撓み変形することにより、前記確認位置への移動を許容する一対の検知脚部と、
を備え、
前記一対の検知脚部のそれぞれの検知脚部は、
前記検知脚部の先端側において径方向内方に突出して設けられ、前記初期位置において前記環状突部に当接可能な検知部と、
前記検知脚部において前記検知部より前記基部側に設けられ、前記初期位置において、前記検知脚部が軸方向奥側に撓み変形していない状態にて前記コネクタ本体に対して押し込み方向に係止され、前記検知脚部が軸方向奥側に撓み変形している状態にて前記コネクタ本体に対して押し込み方向に非係止状態とする押し込み規制部と、
を備える、クイックコネクタ。
【請求項２】
前記検知脚部は、前記確認位置において軸方向奥側への撓みを解放され、
前記検知部は、前記確認位置において前記コネクタ本体に対して引き抜き方向に係止され、
前記押し込み規制部は、前記確認位置において前記コネクタ本体に対して引き抜き方向に非係止状態とする、
請求項１のクイックコネクタ。
【請求項３】
前記コネクタ本体は、前記初期位置において前記押し込み規制部に対して係止される押し込み被係止部を備え、
前記押し込み規制部および前記押し込み被係止部の少なくとも一方は、前記検知脚部が軸方向奥側に撓み変形していない状態にて前記リテーナが押し込み操作された場合に、前記押し込み規制部と前記押し込み被係止部とが押し付け合うことで前記検知脚部を軸方向挿入側に撓み変形させることにより、前記リテーナの押し込み方向への移動を規制する押し込み規制傾斜面を有する、
請求項１または２のクイックコネクタ。
【請求項４】
前記押し込み規制部および前記押し込み被係止部の少なくとも一方は、前記初期位置において、前記環状突部との当接によって前記検知脚部が軸方向奥側に撓み変形した後に前記環状突部との当接が解除された場合に、前記検知脚部の軸方向奥側への撓みを解放するように前記押し込み規制部を誘導する戻り傾斜面を有する、
請求項３のクイックコネクタ。
【請求項５】
前記押し込み規制傾斜面は、前記押し込み被係止部に形成され、
前記押し込み規制傾斜面の法線ベクトルは、軸方向挿入側の成分および引き抜き方向の成分を有し、
前記戻り傾斜面は、前記押し込み被係止部のうち前記押し込み規制傾斜面より軸方向奥側に形成され、
前記戻り傾斜面の法線ベクトルは、軸方向奥側の成分および引き抜き方向の成分を有し、
請求項４のクイックコネクタ。
【請求項６】
前記押し込み規制部は、前記検知脚部の径方向外方に突出して設けられる、
請求項１〜５の何れか一項のクイックコネクタ。
【発明の詳細な説明】
【技術分野】
【０００１】
本発明は、環状突部を有するパイプ体を連結するクイックコネクタに関するものである。
【背景技術】
【０００２】
特表２００８−５１２６０７号公報（特許文献１）および特開２００６−１８３８３３号公報（特許文献２）に記載のコネクタは、コネクタ本体とリテーナとを備える構成であり、リテーナをコネクタ本体に対して押し込み操作することにより、リテーナがパイプ体の環状突部に係止可能となる。また、リテーナの押し込み操作を可能にするには、パイプ体がコネクタ本体の適正位置に挿入されていることが要件となる。つまり、上記コネクタは、リテーナの押し込み操作によって、パイプ体の適正位置への挿入を確認できる。
【０００３】
また、上記コネクタは、初期位置において、リテーナの検知脚部がパイプ体の環状突部によって軸方向に押し付けられることにより、リテーナの検知脚部が軸方向に撓み変形する。この動作によって、リテーナの押し込み操作を可能としている。
【先行技術文献】
【特許文献】
【０００４】
【特許文献１】特表２００８−５１２６０７号公報
【特許文献２】特開２００６−１８３８３３号公報
【発明の概要】
【発明が解決しようとする課題】
【０００５】
上記コネクタにおいて、リテーナが初期位置に位置するときに、パイプ体が挿入されていない場合には、リテーナが押し込み操作できないようにされている。詳細には、リテーナの検知脚部の先端部が、コネクタ本体に対して押し込み方向に係止されている。そして、パイプ体が挿入されると、パイプ体の環状突部が検知脚部の先端部を軸方向に押し付けることによって、検知脚部が撓み変形する。そうすると、検知脚部の先端部によるコネクタ本体に対する押し込み方向への係止が解除される。従って、リテーナの押し込み操作が可能となる。このように、リテーナにおいて、パイプ体の環状突部によって軸方向に押し付けられる部位が、コネクタ本体に対して押し込み方向に係止される部位として機能する。
【０００６】
ところで、コネクタを小型化するために、検知脚部を細くすると、検知脚部の剛性が低下する。そうすると、パイプ体が挿入されていない状態において、リテーナに対して押し込み操作が行われた場合に、リテーナの検知脚部が座屈して検知脚部とコネクタ本体との係止が解除されるおそれがある。特に、係止位置が検知脚部の先端部であるため、検知脚部の座屈によって、検知脚部の先端部とコネクタ本体との係止が解除されやすくなる。従って、リテーナの検知脚部を小型化することが容易ではなかった。
【０００７】
本発明は、このような事情に鑑みてなされたものであり、リテーナの検知脚部の小型化を図りつつ、パイプ体の挿入を確実に検知できるクイックコネクタを提供することを目的とする。
【課題を解決するための手段】
【０００８】
本手段に係るクイックコネクタは、環状突部を有するパイプ体を挿入可能なコネクタ本体と、前記コネクタ本体の軸方向に交差する方向への押し込み操作により、前記コネクタ本体に対して初期位置から確認位置へ移動可能に設けられ、前記確認位置にて前記環状突部に対して軸方向に係止可能なリテーナと、を備えるクイックコネクタである。
【０００９】
前記リテーナは、基部と、前記基部の両端に設けられ、前記初期位置にて前記環状突部の通過を許容し、前記確認位置にて前記環状突部に対して軸方向に係止可能な一対の係止脚部と、前記基部の両端において前記一対の係止脚部より軸方向奥側に設けられ、前記初期位置において前記環状突部との当接によって軸方向奥側に撓み変形することにより、前記確認位置への移動を許容する一対の検知脚部と、を備える。
【００１０】
前記一対の検知脚部のそれぞれの検知脚部は、前記検知脚部の先端側において径方向内方に突出して設けられ、前記初期位置において前記環状突部に当接可能な検知部と、前記検知脚部において前記検知部より前記基部側に設けられ、前記初期位置において、前記検知脚部が軸方向奥側に撓み変形していない状態にて前記コネクタ本体に対して押し込み方向に係止され、前記検知脚部が軸方向奥側に撓み変形している状態にて前記コネクタ本体に対して押し込み方向に非係止状態とする押し込み規制部と、を備える。
【００１１】
本手段に係るクイックコネクタでは、検知部と押し込み規制部とを別部位に設けている。そして、パイプ体の環状突部によって押し付けられる検知部は、検知脚部の先端側に設けられている。一方、コネクタ本体に対して押し込み方向に係止される押し込み規制部は、検知脚部のうち検知部より基部側に設けられている。従って、基部から押し込み規制部までの距離は、基部から検知部までの距離より短い。
【００１２】
そのため、パイプ体が挿入されていないときに、リテーナに対して押し込み操作が行われた場合に、仮にリテーナの検知脚部が座屈するとしても、座屈する長さが従来に比べて短くなる。従って、押し込み規制部のずれ量は小さい。そこで、検知脚部を小型化したとしても、パイプ体が挿入されていなければ、リテーナが押し込み操作によって初期位置から確認位置へ移動することが規制できる。つまり、本手段に係るクイックコネクタは、リテーナの検知脚部の小型化を図りつつ、パイプ体の挿入を確実に検知できる。
【００１３】
＜実施態様＞
以下に、本手段に係るクイックコネクタの好適態様について説明する。
好ましくは、前記検知脚部は、前記確認位置において軸方向奥側への撓みを解放され、前記検知部は、前記確認位置において前記コネクタ本体に対して引き抜き方向に係止され、前記押し込み規制部は、前記確認位置において前記コネクタ本体に対して引き抜き方向に非係止状態とする。
【００１４】
上述したように、検知脚部の押し込み規制部が、コネクタ本体に対して初期位置から確認位置への押し込み方向へ係止する。一方、検知脚部の検知部が、コネクタ本体に対して確認位置から初期位置への引き抜き方向へ係止する。
【００１５】
そして、検知部は、検知脚部の先端側に形成されている。そのため、確認位置において、検知脚部が大きく撓まなければ、検知部はコネクタ本体に対して引き抜き方向に係止されたままとなる。このように、確認位置において、リテーナがコネクタ本体から容易に引き抜かれることはない。ここで、確認位置において、リテーナはパイプ体を係止している。つまり、上記構成によって、確認位置において、リテーナによるパイプ体の係止が確実に行われる。
【００１６】
また、好ましくは、前記コネクタ本体は、前記初期位置において前記押し込み規制部に対して係止される押し込み被係止部を備え、前記押し込み規制部および前記押し込み被係止部の少なくとも一方は、前記検知脚部が軸方向奥側に撓み変形していない状態にて前記リテーナが押し込み操作された場合に、前記押し込み規制部と前記押し込み被係止部とが押し付け合うことで前記検知脚部を軸方向挿入側に撓み変形させることにより、前記リテーナの押し込み方向への移動を規制する押し込み規制傾斜面を有する。
【００１７】
パイプ体が挿入されていないときに、リテーナに対して初期位置から確認位置へ押し込み操作が行われた場合には、押し込み規制傾斜面によって、検知脚部が軸方向挿入側に撓み変形することになる。ここで、検知脚部が軸方向奥側に撓み変形した場合に、押し込み規制部が被係止部に対して係止解除される。つまり、パイプ体が挿入されていないときの押し込み操作によって、検知脚部は、係止解除方向とは逆方向に撓み変形する。従って、より確実に、パイプ体が挿入されていなければ、リテーナが押し込み操作によって初期位置から確認位置へ移動することを規制できる。
【００１８】
好ましくは、前記押し込み規制部および前記押し込み被係止部の少なくとも一方は、前記初期位置において、前記環状突部との当接によって前記検知脚部が軸方向奥側に撓み変形した後に前記環状突部との当接が解除された場合に、前記検知脚部の軸方向奥側への撓みを解放するように前記押し込み規制部を誘導する戻り傾斜面を有する。
【００１９】
ここで、組付時において、パイプ体をコネクタ本体に対して抜き差しを繰り返したり、メンテナンス時に、パイプ体をコネクタ本体から引き抜いたりすることがある。つまり、一旦パイプ体がコネクタ本体に挿入された後に、パイプ体がコネクタ本体から引き抜かれることになる。
【００２０】
そして、上述したように、一旦パイプ体がコネクタ本体に挿入されることにより、リテーナの検知脚部が軸方向奥側へ撓み変形する。この状態の後に、パイプ体がコネクタ本体から引き抜かれると、戻り傾斜面によって、押し込み規制部は元の状態（撓み変形していない状態）に戻ることになる。従って、一旦パイプ体がコネクタ本体に挿入された後に引き抜かれたとしても、リテーナが押し込み方向への移動を許容される状態にならない。つまり、戻り傾斜面によって、リテーナの誤動作が防止される。
【００２１】
好ましくは、前記押し込み規制傾斜面は、前記押し込み被係止部に形成され、前記押し込み規制傾斜面の法線ベクトルは、軸方向挿入側の成分および引き抜き方向の成分を有し、前記戻り傾斜面は、前記押し込み被係止部のうち前記押し込み規制傾斜面より軸方向奥側に形成され、前記戻り傾斜面の法線ベクトルは、軸方向奥側の成分および引き抜き方向の成分を有する。
【００２２】
押し込み規制傾斜面を上記のように形成することで、パイプ体が挿入されていなければ、確実に、リテーナが押し込み操作によって初期位置から確認位置へ移動することを規制できる。さらに、戻り傾斜面を上記のように形成することで、確実にリテーナの誤動作が防止される。
【００２３】
また、好ましくは、前記押し込み規制部は、前記検知脚部の径方向外方に突出して設けられる。これにより、検知脚部をより細くしつつ、押し込み規制部の剛性を確保できる。つまり、リテーナの小型化、ひいてはクイックコネクタの小型化が図れる。
【図面の簡単な説明】
【００２４】
【図１Ａ】クイックコネクタ１とパイプ体３とを連結する前の状態のクイックコネクタ１およびパイプ体３の斜視図である。
【図１Ｂ】クイックコネクタ１とパイプ体３とを連結する前の状態のクイックコネクタ１およびパイプ体３の軸方向断面図である。
【図２】クイックコネクタ１とパイプ体３とを連結した状態のクイックコネクタ１およびパイプ体３の斜視図である。
【図３Ａ】第二ハウジング２０の正面図である。
【図３Ｂ】図３Ａにおける３Ｂ方向矢視図である。
【図３Ｃ】図３Ａにおける３Ｃ方向矢視図である。
【図３Ｄ】図３Ａにおける３Ｄ方向矢視図である。
【図３Ｅ】図３Ａにおける３Ｅ−３Ｅ断面図である。
【図３Ｆ】図３Ａにおける３Ｆ−３Ｆ断面図である。
【図３Ｇ】図３Ａにおける３Ｇ−３Ｇ断面図である。
【図３Ｈ】図３Ａにおける３Ｈ−３Ｈ断面図である。
【図３Ｊ】図３Ｈにおける３Ｊ−３Ｊ断面図である。
【図３Ｋ】図３Ｈにおける３Ｋ−３Ｋ断面図である。
【図４Ａ】リテーナ３０の正面図である。
【図４Ｂ】図４Ａにおける４Ｂ方向矢視図である。
【図４Ｃ】図４Ａにおける４Ｃ方向矢視図である。
【図４Ｄ】図４Ａにおける４Ｄ方向矢視図である。
【図４Ｅ】図４Ｂにおける４Ｅ−４Ｅ断面図である。
【図４Ｆ】図４Ｂにおける４Ｆ−４Ｆ断面図である。
【図５Ａ】（パイプ体挿入前状態）パイプ体３をクイックコネクタ１に挿入する前の状態であり、リテーナ３０を初期位置に位置する場合におけるクイックコネクタ１の軸方向部分断面図である。
【図５Ｂ】図５Ａにおける５Ｂ−５Ｂ断面図である。
【図５Ｃ】図５Ａにおける５Ｃ−５Ｃ断面図である。
【図６】（パイプ体未挿入時のリテーナ押し込み状態）パイプ体３をクイックコネクタ１に挿入する前の状態において、リテーナ３０を初期位置に位置する場合にリテーナ３０に押し込み操作を行った場合のクイックコネクタ１の軸方向部分断面図である。
【図７】（パイプ体挿入状態）パイプ体３をクイックコネクタ１に挿入した状態における、クイックコネクタ１の軸方向部分断面図である。
【図８Ａ】（確認状態）リテーナ３０を初期位置から確認位置へ移動させた状態におけるクイックコネクタ１の軸方向部分断面図である。
【図８Ｂ】図８Ａにおける８Ｂ−８Ｂ断面図である。
【図８Ｃ】図８Ａにおける８Ｃ−８Ｃ断面図である。
【発明を実施するための形態】
【００２５】
（１．クイックコネクタ１の概要）
本実施形態のクイックコネクタ１の概要について、図１Ａ、図１Ｂおよび図２を参照して説明する。クイックコネクタ１は、例えば自動車の燃料配管を構成するために用いられる。つまり、クイックコネクタ１は、例えば燃料を流通させるための流路を形成する。クイックコネクタ１の一端側には、樹脂チューブ（図示せず）が外装され、クイックコネクタ１の他端側には、パイプ体３が挿入される。このようにして、樹脂チューブとパイプ体３とを連結する。
【００２６】
ここで、パイプ体３は、図１Ａおよび図１Ｂに示すように、筒状に形成されており、先端から軸方向に距離を隔てた位置に径方向外側に突出形成された環状突部３ａ（フランジ部）を備える。なお、以下の説明において、パイプ体３の軸方向から見た場合に、リテーナ３０の押し込み方向を下方向とし、引き抜き方向（反押し込み方向）を上方向として説明する。
【００２７】
クイックコネクタ１は、コネクタ本体としての第一ハウジング１０および第二ハウジング２０と、リテーナ３０と、カラー７０と、環状シール部材８１，８２とを備える。
第一ハウジング１０（コネクタ本体）は、例えばガラス繊維強化ポリアミド製であって、貫通した筒状に一体形成される。なお、図１に示す第一ハウジング１０は、Ｌ字状に貫通形成される形状を示すが、この他に、直線状に貫通形成されるようにしてもよい。
【００２８】
図１Ａおよび図１Ｂに示すように、第一ハウジング１０の一端側（図１Ｂの左下側）には、樹脂チューブ（図示せず）を接続するチューブ接続部１１が設けられる。チューブ接続部１１の外周面は、樹脂チューブを嵌め込んだ状態で抜けないようにするために、流路に沿った軸方向に向かって段状に形成される。
【００２９】
一方、第一ハウジング１０の他端側（図１Ｂの右側）には、パイプ体３の先端部を挿入可能に開口されたパイプ挿入部１２が設けられる。パイプ挿入部１２の内周側には、例えば、フッ素ゴム製の環状シール部材８１，８２と、環状シール部材８１，８２の軸方向の間に挟まれるようにして樹脂製のカラー７０とが収容される。これらの内周側にパイプ体３の先端が挿入される。
【００３０】
第二ハウジング２０（コネクタ本体）は、図１Ａおよび図１Ｂに示すように、例えばガラス繊維強化ポリアミド製であって、ほぼ筒状に一体形成される。第二ハウジング２０は、第一ハウジング１０のパイプ挿入部１２側に連結される。
【００３１】
リテーナ３０は、例えばガラス繊維強化ポリアミド製である。リテーナ３０は、作業者による径方向（第二ハウジング２０の軸方向に交差する方向）へ押し込み操作によって、第二ハウジング２０に移動可能に設けられる。そして、パイプ体３が第二ハウジング２０の適正位置に挿入された場合に、図２に示すように、リテーナ３０が初期位置から確認位置へ移動可能となる。従って、作業者は、リテーナ３０が押し込み操作できる場合には、パイプ体３が適正位置に挿入されたと確認できる。
【００３２】
さらに、リテーナ３０が押し込み操作された状態において、リテーナ３０は、パイプ体３の環状突部３ａに対して軸方向に係止する。つまり、作業者は、リテーナ３０を押し込み操作することによって、パイプ体３が適正位置に挿入され、かつ、パイプ体３がリテーナ３０によって抜止されていることを、確認することができる。
【００３３】
（２．第二ハウジング２０の詳細構成）
第二ハウジング２０の詳細構成について、図３Ａ〜図３Ｋを参照して説明する。第二ハウジング２０は、筒部２１と、開口端座部材２２と、下部連結部材２３と、上部連結部材２４と、第一引抜被係止部２５，２５と、第二引抜被係止部２６，２６と、一対の側壁２７，２７とを備える。
【００３４】
筒部２１は、第一ハウジング１０のパイプ挿入部１２に嵌合される。第一ハウジング１０の段部と筒部２１の端面との軸方向間に、カラー７０および環状シール部材８１，８２が位置決めされる。
【００３５】
開口端座部材２２は、図３Ａ〜図３Ｃ、図３Ｈに示すように、筒部２１から軸方向に距離を隔てて同軸状に設けられている。さらに、開口端座部材２２には、図３Ｃおよび図３Ｈに示すように、中心孔２２ａが形成されている。中心孔２２ａは、パイプ体３の環状突部３ａを通過可能な大きさに形成される。
【００３６】
下部連結部材２３は、図３Ｅ〜図３Ｊに示すように、筒部２１の下部と開口端座部材２２の下部とを軸方向に連結する部分である。下部連結部材２３には、貫通孔２３ａが形成されている。この貫通孔２３ａは、パイプ体３をクイックコネクタ１に挿入したときに、作業者がパイプ体３の環状突部３ａを外部（下部）から視認可能にするために設けられている。上部連結部材２４は、図３Ｅ〜図３Ｊに示すように、筒部２１の上部と開口端座部材２２の上部とを連結する。ここで、下部連結部材２３および上部連結部材２４は、パイプ体３の環状突部３ａに対して軸方向に干渉しない位置に設けられている。
【００３７】
第一引抜被係止部２５，２５は、図３Ｂ、図３Ｅ〜図３Ｇ、図３Ｊに示すように、上部連結部材２４の下側面の左右端から下方向に向かってそれぞれ遠ざかるように延出されている。第一引抜被係止部２５，２５は、上部連結部材２４のうち軸方向中央から筒部２１側に設けられている。つまり、第一引抜被係止部２５，２５と開口端座部材２２との軸方向間には、隙間が形成されている。さらに、第一引抜被係止部２５，２５には、図３Ｇに示すように、筒部２１側において、上下方向に貫通する貫通孔２５ａ，２５ａが形成されている。
【００３８】
また、第一引抜被係止部２５，２５は、パイプ体３の環状突部３ａに対して軸方向に干渉しない位置に設けられている。そして、後述するリテーナ３０が初期位置に位置する場合に、第一引抜被係止部２５，２５の先端部が、リテーナ３０の一対の検知脚部３３，３３における検知部３３ａに対して引き抜き方向に係止する。
【００３９】
第二引抜被係止部２６，２６は、図３Ｅ〜図３Ｈに示すように、下部連結部材２３の上側面の左右端から上方向に向かってそれぞれ遠ざかるように延出されている。第二引抜被係止部２６，２６は、下部連結部材２３のうち軸方向中央に設けられている。つまり、第二引抜被係止部２６，２６と開口端座部材２２との軸方向間、および、第二引抜被係止部２６，２６と筒部２１との軸方向間には、隙間が形成されている。
【００４０】
図３Ｆに示すように、第二引抜被係止部２６，２６の上端は鋭角状に形成されている。そして、第二引抜被係止部２６，２６の上端は、第一引抜被係止部２５，２５との間に、上下方向の隙間が形成されている。さらに、図３Ｊに示すように、第二引抜被係止部２６，２６の下面２６ａ，２６ａは、軸方向奥側ほど上方へ向かうように傾斜している。つまり、第二引抜被係止部２６，２６の下面２６ａ，２６ａの法線ベクトルは、軸方向奥側の成分および押し込み方向の成分（下側成分）を有する。
【００４１】
また、第二引抜被係止部２６，２６は、パイプ体３の環状突部３ａに対して軸方向に干渉しない位置に設けられている。そして、後述するリテーナ３０が確認位置に位置する場合に、第二引抜被係止部２６，２６の下面２６ａ，２６ａが、リテーナ３０の一対の検知脚部３３，３３における検知部３３ａに対して引き抜き方向に係止する。
【００４２】
一対の側壁２７，２７は、図３Ａ、図３Ｅ〜図３Ｈに示すように、筒部２１の両方の側面と開口端座部材２２の両方の側面とをそれぞれ連結する。特に、一対の側壁２７，２７は、筒部２１および開口端座部材２２のそれぞれの両方の側面のうち、上下方向中央より下側部分を連結する。一対の側壁２７，２７の上面は、軸方向挿入側ほど下方へ向かうように傾斜している。一対の側壁２７，２７は、一対の第一引抜被係止部２５，２５および一対の第二引抜被係止部２６，２６に対して径方向に隙間を有するように設けられている。
【００４３】
さらに、一対の側壁２７，２７の内側面のうち軸方向中央部には、内方に突出する押し込み被係止部２８，２８が設けられている。つまり、押し込み被係止部２８，２８と筒部２１との軸方向間、および、押し込み被係止部２８，２８と開口端座部材２２との軸方向間には、隙間が形成されている。押し込み被係止部２８の上面は、第二引抜被係止部２６の上端より上方に位置する。
【００４４】
図３Ｋに示すように、押し込み被係止部２８の上面のうち軸方向挿入側には、軸方向挿入側ほど下方へ向かうように傾斜した押し込み規制傾斜面２８ａが形成されている。つまり、押し込み規制傾斜面２８ａの法線ベクトルは、軸方向挿入側の成分および引き抜き方向の成分を有する。
【００４５】
また、図３Ｋに示すように、押し込み被係止部２８の上面のうち押し込み規制傾斜面２８ａより軸方向奥側には、軸方向奥側ほど下方へ向かうように傾斜した戻り傾斜面２８ｂが形成されている。つまり、戻り傾斜面２８ｂの法線ベクトルは、軸方向奥側の成分および引き抜き方向の成分を有する。
【００４６】
一対の側壁２７，２７と一対の第一、第二引抜被係止部２５，２５，２６，２６との径方向間は、後述するリテーナ３０の一対の検知脚部３３，３３が挿入される。また、押し込み被係止部２８の上面の押し込み規制傾斜面２８ａは、リテーナ３０の一対の検知脚部３３，３３における押し込み規制部３３ｂに対して押し込み方向に係止する。
【００４７】
（３．リテーナ３０の詳細構成）
次に、リテーナ３０の詳細構成について、図４Ａ〜図４Ｆを参照して説明する。リテーナ３０は、僅かに湾曲した板状の基部３１と、基部３１の両端に設けられ拡開可能な一対の係止脚部３２，３２と、基部３１の両端に設けられ軸方向に撓み変形可能な一対の検知脚部３３，３３と、一対の奥側係止片３４，３４と、リリース用操作部３５，３５とを備える。
【００４８】
一対の係止脚部３２，３２のそれぞれの係止脚部３２は、仮抜止部４１、本抜止部４２を備える。仮抜止部４１，４１は、それぞれの係止脚部３２，３２の先端側に設けられる。仮抜止部４１，４１の軸方向奥側の面（図４Ａの左面）は、平面状（軸直交面状）に形成されているが、仮抜止部４１，４１の軸方向挿入側の面４１ａ，４１ａ（図４Ａの右面）は、対向する側に向かって、薄くなるように形成されている。仮抜止部４１，４１は、リテーナ３０が初期位置に位置する状態において、パイプ体３の環状突部３ａの通過を許容すると共に、通過した環状突部３ａに対して軸方向に係止可能である。
【００４９】
また、本抜止部４２，４２は、それぞれの係止脚部３２，３２の基部３１側に設けられる。本抜止部４２，４２は、リテーナ３０が確認位置に位置する状態において、パイプ体３の環状突部３ａに対して軸方向に係止可能である。
【００５０】
一対の検知脚部３３，３３は、一対の係止脚部３２，３２に対して軸方向隙間を介して軸方向の隣りに設けられる。一対の検知脚部３３，３３は、一対の係止脚部３２，３２とは独立して軸方向に撓み変形可能である。
【００５１】
それぞれの検知脚部３３の先端側には、径方向内方に突出する検知部３３ａ，３３ａが設けられる。また、それぞれの検知脚部３３には、検知部３３ａ，３３ａより基部３１側において径方向外方に突出する押し込み規制部３３ｂ、３３ｂが設けられる。
【００５２】
一対の奥側係止片３４，３４は、一対の検知脚部３３，３３に対して軸方向隙間を介して軸方向の隣りに設けられる。一対の奥側係止片３４，３４の長さは、一対の係止脚部３２，３２および一対の検知脚部３３，３３に比べて短い。
【００５３】
リリース用操作部３５，３５は、基部３１の両端から隙間を介して、上方に延びるように形成されている。リリース用操作部３５，３５は、外側から挟む力によって、一対の係止脚部３２，３２を拡開させる。
【００５４】
（４．動作説明）
次に、クイックコネクタ１にパイプ体３を挿入し、さらに、クイックコネクタ１からパイプ体３を引き抜く際において、クイックコネクタ１の各部の動作について説明する。
【００５５】
（４−１．パイプ体挿入前状態）
まず、パイプ体３をクイックコネクタ１に挿入する前の状態において、図５Ａ〜図５Ｃを参照して説明する。パイプ体挿入前状態とは、図５Ａ〜図５Ｃに示すように、リテーナ３０を第二ハウジング２０に対して初期位置に位置する状態である。つまり、リテーナ３０は、第二ハウジング２０の筒部２１と開口端座部材２２との軸方向間の上側から装着される。このとき、図５Ｂに示すように、一対の係止脚部３２，３２の仮抜止部４１，４１の薄い部分が、パイプ体３の環状突部３ａの進入位置に位置する。つまり、仮抜止部４１，４１は、パイプ体３の環状突部３ａに対して当接可能な位置に位置する。
【００５６】
ただし、初期位置において、一対の係止脚部３２，３２と側壁２７，２７との間には、一対の係止脚部３２，３２が拡径可能な程度に隙間が存在する。従って、リテーナ３０が初期位置に位置する場合には、一対の係止脚部３２，３２は、拡径することによって、パイプ体３の環状突部３ａの通過を許容する。
【００５７】
また、図５Ｃに示すように、一対の検知脚部３３，３３の検知部３３ａ，３３ａは、一対の第一引抜被係止部２５，２５と一対の第二引抜被係止部２６，２６との周方向隙間に入り込んだ状態となる。つまり、検知部３３ａ，３３ａが、第一引抜被係止部２５に対して引き抜き方向に係止される。この状態において、検知部３３ａは、第二引抜被係止部２６に対して押し込み方向に係止されていない。そして、検知部３３ａ，３３ａは、パイプ体３の環状突部３ａに対して当接可能な位置に位置する。
【００５８】
さらに、押し込み規制部３３ｂ、３３ｂは、一対の検知脚部３３，３３が軸方向奥側に撓み変形していない状態にて、押し込み被係止部２８の押し込み規制傾斜面２８ａに当接される。つまり、押し込み規制部３３ｂ、３３ｂが押し込み規制傾斜面２８ａに対して押し込み方向に係止される。このように、リテーナ３０が初期位置に位置する場合に、リテーナ３０は、第二ハウジング２０に対して押し込み方向に係止されることにより、押し込み操作による移動を規制される。
【００５９】
（４−２．パイプ体未挿入時のリテーナ押し込み状態）
次に、クイックコネクタ１にパイプ体３が挿入される前の状態において、リテーナ３０が押し込み操作された場合について、図６を参照して説明する。上述したように、リテーナ３０の押し込み規制部３３ｂ、３３ｂは、第二ハウジング２０の押し込み規制傾斜面２８ａに対して押し込み方向に係止される。
【００６０】
この状態で、リテーナ３０が押し込み操作されると、押し込み規制部３３ｂと押し込み被係止部２８とが押し付け合うことで、押し込み規制部３３ｂは軸方向挿入側に移動する。つまり、一対の検知脚部３３，３３は、軸方向挿入側に撓み変形する。これは、押し込み規制傾斜面２８ａが、軸方向挿入側ほど下方（押し込み方向）に傾斜しているためである。
【００６１】
一対の検知脚部３３，３３が軸方向挿入側に撓み変形すると、一対の検知脚部３３，３３は、一対の係止脚部３２，３２に当接する。従って、一対の検知脚部３３，３３の押し込み規制部３３ｂ、３３ｂは、押し込み規制傾斜面２８ａに対して押し込み方向に係止された状態を維持する。つまり、パイプ体３がクイックコネクタ１に挿入されなければ、リテーナ３０は初期位置から確認位置へ移動することを規制される。
【００６２】
ここで、本実施形態におけるクイックコネクタ１では、検知部３３ａと押し込み規制部３３ｂとを別部位に設けている。詳細には、パイプ体３の環状突部３ａによって押し付けられる検知部３３ａは、検知脚部３３の先端側に設けられている。一方、第二ハウジング２０の押し込み被係止部２８に対して押し込み方向に係止される押し込み規制部３３ｂは、検知脚部３３のうち検知部３３ａより基部３１側に設けられている。従って、基部３１から押し込み規制部３３ｂまでの距離は、基部３１から検知部３３ａまでの距離より短い。
【００６３】
そのため、パイプ体３が挿入されていないときに、リテーナ３０に対して押し込み操作が行われた場合に、仮にリテーナ３０の検知脚部３３が座屈するとしても、座屈する長さが短くなる。従って、押し込み規制部３３ｂのずれ量は小さい。そこで、検知脚部３３を小型化したとしても、パイプ体３が挿入されていなければ、リテーナ３０が押し込み操作によって初期位置から確認位置へ移動することが規制される。つまり、クイックコネクタ１は、リテーナ３０の検知脚部３３の小型化を図りつつ、パイプ体３の挿入を確実に検知できる。
【００６４】
さらに、押し込み被係止部２８には、押し込み規制傾斜面２８ａが形成されている。従って、上述したように、パイプ体３が挿入されていないときに、リテーナ３０に対して初期位置から押し込み操作が行われた場合には、押し込み規制傾斜面２８ａによって、検知脚部３３が軸方向挿入側に撓み変形することになる。ここで、検知脚部３３が軸方向奥側に撓み変形した場合のみに、押し込み規制部３３ｂが押し込み被係止部２８に対して非係止状態となる。
【００６５】
つまり、パイプ体３が挿入されていないときの押し込み操作によって、検知脚部３３は、係止解除方向とは逆方向に撓み変形する。従って、パイプ体３が挿入されていなければ、リテーナ３０が押し込み操作によって初期位置から確認位置へ移動することをより確実に規制できる。
【００６６】
（４−３．パイプ体挿入状態）
次に、パイプ体３が、第二ハウジング２０の開口端座部材２２側から適正位置まで挿入された状態について、図７を参照して説明する。図７に示すように、パイプ体３を第二ハウジング２０に挿入して行くと、パイプ体３の環状突部３ａが、仮抜止部４１，４１の軸方向挿入側の面４１ａ，４１ａを押し付ける。この押し付けに伴って、一対の係止脚部３２，３２が拡開する。そうすると、パイプ体３の環状突部３ａが仮抜止部４１，４１を通過できるため、パイプ体３がさらに軸方向奥側へ挿入可能となる。
【００６７】
パイプ体３の環状突部３ａが一対の係止脚部３２，３２を通過すると、一対の係止脚部３２，３２の拡開は、解放される。つまり、一対の係止脚部３２，３２の仮抜止部４１，４１が、パイプ体３の環状突部３ａに対して軸方向に係止する。従って、パイプ体３は、抜け止めされる。
【００６８】
また、パイプ体３が一対の係止脚部３２，３２を通過すると、パイプ体３の環状突部３ａは、一対の検知脚部３３，３３の検知部３３ａ，３３ａに当接する。パイプ体３がさらに軸方向奥側へ移動すると、パイプ体３の環状突部３ａは、検知部３３ａ，３３ａを軸方向奥側に押し付ける。従って、図７に示すように、一対の検知脚部３３，３３は、軸方向奥側へ撓み変形する。ここで、一対の奥側係止片３４，３４の存在によって、一対の検知脚部３３，３３の軸方向奥側には、軸方向に撓み変形可能となるように空間が形成されている。
【００６９】
一対の検知脚部３３，３３が軸方向奥側に撓み変形することによって、押し込み規制部３３ｂが、第二ハウジング２０の押し込み被係止部２８，２８に対して押し込み方向に非係止状態となる。従って、一対の検知脚部３３，３３は、押し込み方向の確認位置への移動を許容される。
【００７０】
（４−４．パイプ体３の引抜時）
次に、図７に示すようにパイプ体３をクイックコネクタ１に挿入した後に、パイプ体３を引き抜いて、再びパイプ体３を挿入する動作を行うとする。例えば、組付時にパイプ体３をクイックコネクタ１に対して抜き差しを繰り返したり、メンテナンス時に、パイプ体３をクイックコネクタ１から引き抜いたりすることがある。
【００７１】
パイプ体３をクイックコネクタ１に挿入すると、仮抜止部４１，４１がパイプ体３の環状突部３ａに対して軸方向に係止することによって、パイプ体３は抜け止めされる。そこで、作業者がリリース用操作部３５，３５を操作することによって、一対の係止脚部３２，３２を拡開させて、パイプ体３を引き抜くことができる。
【００７２】
このときの一対の検知脚部３３，３３の動作について説明する。一旦、パイプ体３が適正位置に挿入されると、図７に示すように、一対の検知脚部３３，３３は軸方向奥側へ撓み変形し、押し込み被係止部２８との係止が解除される。そして、パイプ体３がクイックコネクタ１から引き抜かれることで、検知部３３ａは、パイプ体３の環状突部３ａとの当接が解除される。つまり、一対の検知脚部３３，３３は環状突部３ａによる押し付け力を受けなくなる。
【００７３】
ここで、第二ハウジング２０の押し込み被係止部２８の上面のうち軸方向奥側には、戻り傾斜面２８ｂが形成されている。つまり、一対の検知脚部３３，３３が環状突部３ａによる押し付け力を受けなくなると、押し込み規制部３３ｂは、戻り傾斜面２８ｂに誘導されながら、一対の検知脚部３３，３３の軸方向への撓みを解放する。
【００７４】
一旦パイプ体３がクイックコネクタ１に挿入された後に、パイプ体３が引き抜かれるときに、戻り傾斜面２８ｂによって、押し込み規制部３３ｂは元の状態（撓み変形していない状態）に戻ることになる。従って、一旦パイプ体３がクイックコネクタ１に挿入された後に引き抜かれたとしても、リテーナ３０が押し込み方向への移動を許容される状態にならない。つまり、戻り傾斜面２８ｂによって、リテーナ３０の誤動作が防止される。
【００７５】
（４−５．確認状態）
次に、パイプ体３が適正位置に挿入された後に、リテーナ３０が初期位置から確認位置に移動した状態について、図８Ａ〜図８Ｃを参照して説明する。図７の状態からリテーナ３０が押し込み方向（下方）へ移動する。
【００７６】
ここで、図７に示すように、初期位置において、リテーナ３０の一対の検知脚部３３，３３は、軸方向奥側へ撓み変形している。従って、押し込み規制部３３ｂは、押し込み被係止部２８に対して押し込み方向へ係止されていない。さらに、検知部３３ａも、一対の第二引抜被係止部２６，２６に対して押し込み方向へ係止されていない。従って、リテーナ３０は、押し込み方向への移動可能な状態となっている。
【００７７】
この状態で、リテーナ３０が押し込み操作されることによって、リテーナ３０は、図８Ａ〜図８Ｃに示すように、確認位置へ移動する。確認位置において、一対の係止脚部３２，３２の本抜止部４２，４２が、パイプ体３の環状突部３ａに対して軸方向に係止する。このとき、一対の係止脚部３２，３２は、側壁２７の存在によって、拡開を規制される。そのため、リテーナ３０が確認位置に位置する状態であれば、パイプ体３は本抜止部４２，４２に係止されることで、確実にパイプ体３が抜け止めされる。
【００７８】
さらに、図８Ａに示すように、確認位置において、一対の検知脚部３３，３３の軸方向奥側への撓みは解放される。つまり、図８Ｃに示すように、検知部３３ａは、一対の第二引抜被係止部２６，２６の下面２６ａ，２６ａの下側へ移動する。つまり、検知部３３ａが、一対の第二引抜被係止部２６，２６に対して引き抜き方向に係止される。さらに、押し込み規制部３３ｂは、押し込み被係止部２８の下側へ移動する。このとき、押し込み規制部３３ｂは、押し込み被係止部２８に対して引き抜き方向に非係止状態である。
【００７９】
ここで、上述したように、検知脚部３３の押し込み規制部３３ｂが、第二ハウジング２０の押し込み被係止部２８に対して初期位置から確認位置への押し込み方向へ係止する。一方、検知脚部３３の検知部３３ａが、第二ハウジング２０の一対の第二引抜被係止部２６，２６に対して確認位置から初期位置への引き抜き方向へ係止する。
【００８０】
そして、検知部３３ａは、検知脚部３３の先端側に形成されている。そのため、確認位置において、検知脚部３３が大きく撓まなければ、検知部３３ａは第二引抜被係止部２６，２６に対して引き抜き方向に係止されたままとなる。このように、確認位置において、リテーナ３０が第二ハウジング２０から容易に引き抜かれることはない。ここで、確認位置において、リテーナ３０はパイプ体３を係止している。つまり、上記構成によって、確認位置において、リテーナ３０によるパイプ体３の係止が確実に行われる。
【００８１】
（４−６．リリース状態）
保守などにおいてクイックコネクタ１からパイプ体３を引き抜く場合が生じる。まず、作業者は、図８Ａに示す状態から、リリース用操作部３５，３５を把持して引き抜く。そうすると、検知部３３ａが、第二引抜被係止部２６，２６の下面２６ａ，２６ａの傾斜に沿って、軸方向奥側へ移動する。つまり、一対の検知脚部３３，３３が軸方向奥側へ撓み変形する。
【００８２】
従って、検知部３３ａは第二引抜被係止部２６，２６に対して引き抜き方向への係止が解除されると共に、押し込み規制部３３ｂが、押し込み被係止部２８の軸方向奥側へ移動する。リテーナ３０は、図７に示す初期位置へ移動する。つまり、図７に示すように、一対の検知脚部３３，３３は、軸方向奥側へ撓み変形した状態となる。また、パイプ体３の環状突部３ａは、一対の係止脚部３２，３２の仮抜止部４１，４１によって抜け止めされている。
【００８３】
続いて、作業者が、リリース用操作部３５，３５をつまんだ状態で、リリース用操作部３５，３５の先端側の離間距離を狭くする。そうすると、一対の係止脚部３２，３２は、拡開して、パイプ体３の環状突部３ａとの軸方向の係止を解除する。この状態において、作業者は、パイプ体３をクイックコネクタ１から引き抜くことができる。パイプ体３がクイックコネクタ１から引き抜かれると、一対の検知脚部３３，３３は、撓みを解放する。そして、リテーナ３０は、図５Ａ〜図５Ｃに示すような状態となる。
【００８４】
＜変形態様＞
上記実施形態において、押し込み規制傾斜面２８ａは、第二ハウジング２０の側壁２７の押し込み被係止部２８に設けた。この他に、押し込み規制傾斜面としての機能は、リテーナ３０の押し込み規制部３３ｂに設けることもできる。つまり、押し込み規制部３３ｂが、検知脚部３３が軸方向奥側に撓み変形していない状態にてリテーナ３０が押し込み操作された場合に、押し込み規制部３３ｂと押し込み被係止部２８とが押し付け合うことで検知脚部３３を軸方向挿入側に撓み変形させることにより、リテーナ３０の押し込み方向への移動を規制する押し込み規制傾斜面を有する。
【００８５】
また、上記実施形態において、戻り傾斜面２８ｂは、第二ハウジング２０の側壁２７の押し込み被係止部２８に設けた。この他に、戻り傾斜面としての機能は、リテーナ３０の押し込み規制部３３ｂに設けることもできる。つまり、押し込み規制部３３ｂが、初期位置において、環状突部３ａとの当接によって検知脚部３３が軸方向奥側に撓み変形した後に環状突部３ａとの当接が解除された場合に、検知脚部３３の軸方向奥側への撓みを解放するように押し込み規制部３３ｂを誘導する戻り傾斜面を有する。
【符号の説明】
【００８６】
１：クイックコネクタ、  ３：パイプ体、  ３ａ：環状突部、  １０：第一ハウジング、  １１：チューブ接続部、  １２：パイプ挿入部、  ２０：第二ハウジング、  ２１：筒部、  ２２：開口端座部材、  ２２ａ：中心孔、  ２３：下部連結部材、  ２３ａ：貫通孔、  ２４：上部連結部材、  ２５：第一引抜被係止部、  ２５ａ：貫通孔、  ２６：第二引抜被係止部、  ２６ａ：下面、  ２７：側壁、  ２８：押し込み被係止部、  ２８ａ：押し込み規制傾斜面、  ２８ｂ：戻り傾斜面、  ３０：リテーナ、  ３１：基部、  ３２：係止脚部、  ３３：検知脚部、  ３３ａ：検知部、  ３３ｂ：押し込み規制部、  ３４：奥側係止片、  ３５：リリース用操作部、  ４１：仮抜止部、  ４１ａ：傾斜面、  ４２：本抜止部、  ７０：カラー、  ８１，８２：環状シール部材
【図１Ａ】
2015086964.tif 000003
【図１Ｂ】
2015086964.tif 000004
【図２】
2015086964.tif 000005
【図３Ａ】
2015086964.tif 000006
【図３Ｂ】
2015086964.tif 000007
【図３Ｃ】
2015086964.tif 000008
【図３Ｄ】
2015086964.tif 000009
【図３Ｅ】
2015086964.tif 000010
【図３Ｆ】
2015086964.tif 000011
【図３Ｇ】
2015086964.tif 000012
【図３Ｈ】
2015086964.tif 000013
【図３Ｊ】
2015086964.tif 000014
【図３Ｋ】
2015086964.tif 000015
【図４Ａ】
2015086964.tif 000016
【図４Ｂ】
2015086964.tif 000017
【図４Ｃ】
2015086964.tif 000018
【図４Ｄ】
2015086964.tif 000019
【図４Ｅ】
2015086964.tif 000020
【図４Ｆ】
2015086964.tif 000021
【図５Ａ】
2015086964.tif 000022
【図５Ｂ】
2015086964.tif 000023
【図５Ｃ】
2015086964.tif 000024
【図６】
2015086964.tif 000025
【図７】
2015086964.tif 000026
【図８Ａ】
2015086964.tif 000027
【図８Ｂ】
2015086964.tif 000028
【図８Ｃ】
2015086964.tif 000029